(57)【要約】  一実施形態に係るセル再選択制御方法は、ＲＲＣアイドル状態又はＲＲＣインアクティブ状態にあるユーザ装置がアンライセンスバンドにおいて行う方法である。前記セル再選択制御方法は、前記アンライセンスバンドに属する複数のキャリア周波数又は複数のセルである複数の候補のそれぞれについて混雑度を判定することと、前記複数の候補の中から、前記ユーザ装置のサービングセルとして用いるために必要とされる選択基準を満たす候補を抽出することと、前記抽出した候補の中から、前記サービングセルとして用いるセルを選択することとを含む。前記候補の抽出及び前記セルの選択のうち少なくとも一方は、前記判定された前記混雑度に基づく。
2020153214.tif 000002
【特許請求の範囲】
【請求項１】
ＲＲＣ（Ｒａｄｉｏ  Ｒｅｓｏｕｒｃｅ  Ｃｏｎｔｒｏｌ）アイドル状態又はＲＲＣインアクティブ状態にあるユーザ装置がアンライセンスバンドにおいて行うセル再選択制御方法であって、
前記アンライセンスバンドに属する複数のキャリア周波数又は複数のセルである複数の候補のそれぞれについて混雑度を判定することと、
前記複数の候補の中から、前記ユーザ装置のサービングセルとして用いるために必要とされる選択基準を満たす候補を抽出することと、
前記抽出した候補の中から、前記サービングセルとして用いるセルを選択することと、を含み、
前記候補の抽出及び前記セルの選択のうち少なくとも一方は、前記判定された前記混雑度に基づく
セル再選択制御方法。
【請求項２】
前記抽出することは、前記混雑度に応じた値が第１閾値を満たす候補を前記複数の候補の中から抽出することを含む
請求項１に記載のセル再選択制御方法。
【請求項３】
前記複数の候補のそれぞれについて、所望波の受信電力を測定することをさらに含み、
前記抽出することは、前記混雑度に応じた値が前記第１閾値を満たし、且つ、前記受信電力に応じた値が第２閾値を満たす候補を前記複数の候補の中から抽出することを含む
請求項２に記載のセル再選択制御方法。
【請求項４】
前記選択することは、
前記混雑度に基づいて前記複数の候補をランク付けすることと、
前記ランク付けにより最上位にランク付けされた候補を選択することと、を含む
請求項１乃至３のいずれか１項に記載のセル再選択制御方法。
【請求項５】
前記複数の候補のそれぞれについて、所望波の受信電力を測定することをさらに含み、
前記ランク付けすることは、前記混雑度と前記受信電力とに基づいて前記複数の候補をランク付けすることを含む
請求項４に記載のセル再選択制御方法。
【請求項６】
前記複数の候補のそれぞれについて、所望波の受信電力を測定することをさらに含み、
前記抽出することは、前記混雑度に応じたオフセットを前記受信電力に付与して得られた値が閾値以上である候補を、前記複数の候補の中から抽出することを含む
請求項１に記載のセル再選択制御方法。
【請求項７】
前記複数の候補のそれぞれについて、所望波の受信電力を測定することをさらに含み、
前記選択することは、
前記混雑度に応じたオフセットを前記受信電力に付与して得られた値に基づいて、前記複数の候補をランク付けすることと、
前記ランク付けにより最上位にランク付けされた候補を選択することと、を含む
請求項１に記載のセル再選択制御方法。
【請求項８】
アンライセンスバンドにおけるセル再選択処理を制御するためのセル再選択制御方法であって、
ＲＲＣ（Ｒａｄｉｏ  Ｒｅｓｏｕｒｃｅ  Ｃｏｎｔｒｏｌ）コネクティッド状態にあるユーザ装置が、前記セル再選択における優先度をキャリア周波数ごとに定める条件付き優先度を含むＲＲＣ解放メッセージを基地局から受信することと、
前記ＲＲＣ解放メッセージの受信に応じてＲＲＣアイドル状態又はＲＲＣインアクティブ状態に遷移した前記ユーザ装置が、前記条件付き優先度を直ちに適用することに代えて、現在のサービングセルに関する所定の条件が満たされるまでは前記条件付き優先度の適用を保留することと、
前記ＲＲＣアイドル状態又は前記ＲＲＣインアクティブ状態にある前記ユーザ装置が、前記所定の条件が満たされた場合、前記条件付き優先度を適用することと、を含む
セル再選択制御方法。
【請求項９】
前記ＲＲＣ解放メッセージは、前記所定の条件を前記ユーザ装置に対して指定するための設定情報を含む
請求項８に記載のセル再選択制御方法。
【請求項１０】
前記所定の条件は、前記現在のサービングセルの混雑度が上昇したという条件及び前記現在のサービングセルの所望波の受信状態が劣化したという条件のうち少なくとも一方を含む
請求項８又は９に記載のセル再選択制御方法。
【請求項１１】
前記所定の条件は、前記ＲＲＣアイドル状態又は前記ＲＲＣインアクティブ状態からＲＲＣコネクティッド状態に遷移する必要が生じたという条件を含む
請求項８乃至１０のいずれか１項に記載のセル再選択制御方法。
【請求項１２】
前記ユーザ装置が、前記ＲＲＣアイドル状態又は前記ＲＲＣインアクティブ状態に遷移する際に、前記条件付き優先度の適用可能期間を定める第１のタイマを開始させることをさらに含む
請求項８乃至１１のいずれか１項に記載のセル再選択制御方法。
【請求項１３】
前記ユーザ装置が、前記条件付き優先度を適用する際に、前記条件付き優先度の適用を継続可能な期間を定める第２のタイマを開始させることをさらに含む
請求項８乃至１２のいずれか１項に記載のセル再選択制御方法。
【請求項１４】
前記ＲＲＣ解放メッセージは、前記条件付き優先度とは別に、前記セル再選択における優先度をキャリア周波数ごとに定める周波数優先度をさらに含み、
前記セル再選択制御方法は、
前記ユーザ装置が、前記ＲＲＣアイドル状態又は前記ＲＲＣインアクティブ状態に遷移する際に、前記周波数優先度を適用することと、
前記ユーザ装置が、前記所定の条件が満たされた場合、前記周波数優先度を前記条件付き優先度で上書きすることと、をさらに含む
請求項８乃至１３のいずれか１項に記載のセル再選択制御方法。
【請求項１５】
前記ユーザ装置が、前記所定の条件が満たされた場合、前記セル再選択における優先度として、前記現在のサービングセルの優先度又は前記現在のサービングセルが属するキャリア周波数の優先度を最低優先度に設定することをさらに含む
請求項８乃至１４のいずれか１項に記載のセル再選択制御方法。
【請求項１６】
請求項１乃至１５のいずれか１項に記載のセル再選択制御方法を実行するプロセッサを備える
ユーザ装置。
【発明の詳細な説明】
【技術分野】
【０００１】
本開示は、移動通信システムにおけるセル再選択制御方法及びユーザ装置に関する。
【背景技術】
【０００２】
従来、３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）において、免許が必要な周波数帯であるライセンスバンドと免許不要な周波数帯であるアンライセンスバンドとを併用してＬＴＥ通信を行うＬＡＡ（Ｌｉｃｅｎｓｅ−Ａｓｓｉｓｔｅｄ  Ａｃｃｅｓｓ）が規定されている。なお、アンライセンスバンドは、Ｕｎｌｉｃｅｎｓｅｄ  ｓｐｅｃｔｒｕｍと呼ばれることもある。【０００３】
近年、第５世代（５Ｇ）の無線アクセス技術に位置付けられるＮＲ（Ｎｅｗ  Ｒａｄｉｏ）の標準化が３ＧＰＰにおいて進められている。現状のＮＲの仕様には、アンライセンスバンドを用いる仕組みが規定されていないが、ＮＲ通信においてアンライセンスバンドを用いる技術であるＮＲ−Ｕを導入するための議論が３ＧＰＰにおいて開始されている。【０００４】
ＮＲ−Ｕにおいては、アンライセンスバンドをライセンスバンドと併用せずにアンライセンスバンドを単独で用いることが可能になると想定される。このような想定下においては、ＬＡＡには無い新たな機能が必要になると考えられる。
【先行技術文献】
【非特許文献】
【０００５】
【非特許文献１】３ＧＰＰ技術仕様書  「ＴＳ３８．３００  Ｖ１５．３．０」  ２０１８年９月、インターネット＜ＵＲＬ：  ｈｔｔｐ：／／ｗｗｗ．３ｇｐｐ．ｏｒｇ／ｆｔｐ／／Ｓｐｅｃｓ／ａｒｃｈｉｖｅ／３８＿ｓｅｒｉｅｓ／３８．３００／３８３００−ｆ３０．ｚｉｐ＞
【発明の概要】
【０００６】
一実施形態に係るセル再選択制御方法は、ＲＲＣアイドル状態又はＲＲＣインアクティブ状態にあるユーザ装置がアンライセンスバンドにおいて行う方法である。前記セル再選択制御方法は、前記アンライセンスバンドに属する複数のキャリア周波数又は複数のセルである複数の候補のそれぞれについて混雑度を判定することと、前記複数の候補の中から、前記ユーザ装置のサービングセルとして用いるために必要とされる選択基準を満たす候補を抽出することと、前記抽出した候補の中から、前記サービングセルとして用いるセルを選択することとを含む。前記候補の抽出及び前記セルの選択のうち少なくとも一方は、前記判定された前記混雑度に基づく。
【０００７】
一実施形態に係るセル再選択制御方法は、アンライセンスバンドにおけるセル再選択処理を制御するための方法である。前記セル再選択制御方法は、ＲＲＣコネクティッド状態にあるユーザ装置が、前記セル再選択における優先度をキャリア周波数ごとに定める条件付き優先度を含むＲＲＣ解放メッセージを基地局から受信することと、前記ＲＲＣ解放メッセージの受信に応じてＲＲＣアイドル状態又はＲＲＣインアクティブ状態に遷移した前記ユーザ装置が、前記条件付き優先度を直ちに適用することに代えて、現在のサービングセルに関する所定の条件が満たされるまでは前記条件付き優先度の適用を保留することと、前記ＲＲＣアイドル状態又は前記ＲＲＣインアクティブ状態にある前記ユーザ装置が、前記所定の条件が満たされた場合、前記条件付き優先度を適用することとを含む。
【図面の簡単な説明】
【０００８】
【図１】実施形態に係る移動通信システムの構成を示す図である。
【図２】実施形態に係るユーザ装置の構成を示す図である。
【図３】実施形態に係る基地局の構成を示す図である。
【図４】実施形態に係るユーザプレーンの無線インターフェイスのプロトコルスタックの構成を示す図である。
【図５】実施形態に係る制御プレーンの無線インターフェイスのプロトコルスタックの構成を示す図である。
【図６】第１実施形態に係る選択基準の具体例を示す図である。
【図７】第１実施形態に係るランク付け基準の具体例を示す図である。
【図８】第１実施形態に係るセル再選択制御方法を示す図である。
【図９】第１実施形態の変更例に係るセル再選択制御方法を示す図である。
【図１０】第２実施形態に係るセル再選択制御方法を示す図である。
【図１１】第１及び第２実施形態の変更例１を示す図である。
【図１２】第１及び第２実施形態の変更例２を示す図である。
【図１３】第１及び第２実施形態の変更例３を示す図である。
【発明を実施するための形態】
【０００９】
図面を参照しながら、実施形態に係る移動通信システムについて説明する。図面の記載において、同一又は類似の部分には同一又は類似の符号を付している。
【００１０】
（移動通信システム）
まず、一実施形態に係る移動通信システムの構成について説明する。一実施形態に係る移動通信システムは３ＧＰＰの５Ｇシステムであるが、移動通信システムには、ＬＴＥが少なくとも部分的に適用されてもよい。
【００１１】
図１は、一実施形態に係る移動通信システムの構成を示す図である。
【００１２】
図１に示すように、移動通信システムは、ユーザ装置（ＵＥ：Ｕｓｅｒ  Ｅｑｕｉｐｍｅｎｔ）１００と、５Ｇの無線アクセスネットワーク（ＮＧ−ＲＡＮ：Ｎｅｘｔ  Ｇｅｎｅｒａｔｉｏｎ  Ｒａｄｉｏ  Ａｃｃｅｓｓ  Ｎｅｔｗｏｒｋ）１０と、５Ｇのコアネットワーク（５ＧＣ：５Ｇ  Ｃｏｒｅ  Ｎｅｔｗｏｒｋ）２０とを有する。
【００１３】
ＵＥ１００は、移動可能な装置である。ＵＥ１００は、ユーザにより利用される装置であればどのような装置であってもよい。例えば、ＵＥ１００は、携帯電話端末（スマートフォンを含む）やタブレット端末、ノートＰＣ、通信モジュール（通信カード又はチップセットを含む）、センサ若しくはセンサに設けられる装置、車両若しくは車両に設けられる装置（Ｖｅｈｉｃｌｅ  ＵＥ）、又は飛行体若しくは飛行体に設けられる装置（Ａｅｒｉａｌ  ＵＥ）である。
【００１４】
ＮＧ−ＲＡＮ１０は、基地局（５Ｇシステムにおいて「ｇＮＢ」と呼ばれる）２００を含む。ｇＮＢ２００は、ＮＧ−ＲＡＮノードと呼ばれることもある。ｇＮＢ２００は、基地局間インターフェイスであるＸｎインターフェイスを介して相互に接続される。ｇＮＢ２００は、１又は複数のセルを管理する。ｇＮＢ２００は、自セルとの接続を確立したＵＥ１００との無線通信を行う。ｇＮＢ２００は、無線リソース管理（ＲＲＭ）機能、ユーザデータ（以下、単に「データ」という）のルーティング機能、及び／又はモビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１５】
なお、ｇＮＢがＬＴＥのコアネットワークであるＥＰＣ（Ｅｖｏｌｖｅｄ  Ｐａｃｋｅｔ  Ｃｏｒｅ）に接続されてもよいし、ＬＴＥの基地局が５ＧＣに接続されてもよい。また、ＬＴＥの基地局とｇＮＢとが基地局間インターフェイスを介して接続されてもよい。
【００１６】
５ＧＣ２０は、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）及びＵＰＦ（Ｕｓｅｒ  Ｐｌａｎｅ  Ｆｕｎｃｔｉｏｎ）３００を含む。ＡＭＦは、ＵＥ１００に対する各種モビリティ制御等を行う。ＡＭＦは、ＮＡＳ（Ｎｏｎ−Ａｃｃｅｓｓ  Ｓｔｒａｔｕｍ）シグナリングを用いてＵＥ１００と通信することにより、ＵＥ１００が在圏するエリアの情報を管理する。ＵＰＦは、データの転送制御を行う。ＡＭＦ及びＵＰＦは、基地局−コアネットワーク間インターフェイスであるＮＧインターフェイスを介してｇＮＢ２００と接続される。
【００１７】
図２は、ＵＥ１００（ユーザ装置）の構成を示す図である。
【００１８】
図２に示すように、ＵＥ１００は、受信部１１０、送信部１２０、及び制御部１３０を備える。
【００１９】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００２０】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００２１】
制御部１３０は、ＵＥ１００における各種の制御を行う。制御部１３０は、少なくとも１つのプロセッサと、プロセッサと電気的に接続された少なくとも１つのメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。
【００２２】
図３は、ｇＮＢ２００（基地局）の構成を示す図である。
【００２３】
図３に示すように、ｇＮＢ２００は、送信部２１０、受信部２２０、制御部２３０、及びバックホール通信部２４０を備える。
【００２４】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２５】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２６】
制御部２３０は、ｇＮＢ２００における各種の制御を行う。制御部２３０は、少なくとも１つのプロセッサと、プロセッサと電気的に接続された少なくとも１つのメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。
【００２７】
バックホール通信部２４０は、基地局間インターフェイスを介して隣接基地局と接続される。バックホール通信部２４０は、基地局−コアネットワーク間インターフェイスを介してＡＭＦ／ＵＰＦ３００と接続される。なお、ｇＮＢは、ＣＵ（Ｃｅｎｔｒａｌ  Ｕｎｉｔ）とＤＵ（Ｄｉｓｔｒｉｂｕｔｅｄ  Ｕｎｉｔ）とで構成され（すなわち、機能分割され）、両ユニット間がＦ１インターフェイスで接続されてもよい。
【００２８】
図４は、データを取り扱うユーザプレーンの無線インターフェイスのプロトコルスタックの構成を示す図である。
【００２９】
図４に示すように、ユーザプレーンの無線インターフェイスプロトコルは、物理（ＰＨＹ）レイヤと、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＳＤＡＰ（Ｓｅｒｖｉｃｅ  Ｄａｔａ  Ａｄａｐｔａｔｉｏｎ  Ｐｒｏｔｏｃｏｌ）レイヤとを有する。
【００３０】
ＰＨＹレイヤは、符号化・復号、変調・復調、アンテナマッピング・デマッピング、及びリソースマッピング・デマッピングを行う。ＵＥ１００のＰＨＹレイヤとｇＮＢ２００のＰＨＹレイヤとの間では、物理チャネルを介してデータ及び制御情報が伝送される。
【００３１】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｇＮＢ２００のＭＡＣレイヤとの間では、トランスポートチャネルを介してデータ及び制御情報が伝送される。ｇＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００３２】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｇＮＢ２００のＲＬＣレイヤとの間では、論理チャネルを介してデータ及び制御情報が伝送される。
【００３３】
ＰＤＣＰレイヤは、ヘッダ圧縮・伸張、及び暗号化・復号化を行う。
【００３４】
ＳＤＡＰレイヤは、コアネットワークがＱｏＳ制御を行う単位であるＩＰフローとＡＳ（Ａｃｃｅｓｓ  Ｓｔｒａｔｕｍ）がＱｏＳ制御を行う単位である無線ベアラとのマッピングを行う。なお、ＲＡＮがＥＰＣに接続される場合は、ＳＤＡＰが無くてもよい。
【００３５】
図５は、シグナリング（制御信号）を取り扱う制御プレーンの無線インターフェイスのプロトコルスタックの構成を示す図である。
【００３６】
図５に示すように、制御プレーンの無線インターフェイスのプロトコルスタックは、図４に示したＳＤＡＰレイヤに代えて、ＲＲＣ（Ｒａｄｉｏ  Ｒｅｓｏｕｒｃｅ  Ｃｏｎｔｒｏｌ）レイヤ及びＮＡＳ（Ｎｏｎ−Ａｃｃｅｓｓ  Ｓｔｒａｔｕｍ）レイヤを有する。
【００３７】
ＵＥ１００のＲＲＣレイヤとｇＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｇＮＢ２００のＲＲＣとの間に接続（ＲＲＣ接続）がある場合、ＵＥ１００はＲＲＣコネクティッド状態にある。ＵＥ１００のＲＲＣとｇＮＢ２００のＲＲＣとの間に接続（ＲＲＣ接続）がない場合、ＵＥ１００はＲＲＣアイドル状態にある。また、ＲＲＣ接続が中断（サスペンド）されている場合、ＵＥ１００はＲＲＣインアクティブ状態にある。
【００３８】
ＲＲＣレイヤの上位に位置するＮＡＳレイヤは、セッション管理及びモビリティ管理等を行う。ＵＥ１００のＮＡＳレイヤとＡＭＦ３００のＮＡＳレイヤとの間では、ＮＡＳシグナリングが伝送される。
【００３９】
なお、ＵＥ１００は、無線インターフェイスのプロトコル以外にアプリケーションレイヤ等を有する。
【００４０】
（ＮＲ−Ｕ）
後述する各実施形態は、ＮＲ通信においてアンライセンスバンドを用いるＮＲ−Ｕを前提とする。ＮＲ−Ｕは、アンライセンスバンドをライセンスバンドと併用せずにアンライセンスバンドを単独で用いるものであってもよい。
【００４１】
アンライセンスバンドは、無線ＬＡＮなどの他のシステムからの妨害波（干渉波）が存在しうるとともに、移動通信システムの通信装置（ＵＥ１００、ｇＮＢ２００）から他のシステムへ干渉を与えうる。妨害波とは、所望波以外の無線信号をいう。所望波とは、ＳＳＢ（Ｓｙｎｃｈｒｏｎｉｚａｔｉｏｎ  Ｓｉｇｎａｌ  ａｎｄ  ＰＢＣＨ  ｂｌｏｃｋ）、ＭＩＢ（Ｍａｓｔｅｒ  Ｉｎｆｏｒｍａｔｉｏｎ  Ｂｌｏｃｋ）、ＳＩＢ１（Ｓｙｓｔｅｍ  Ｉｎｆｏｒｍａｔｉｏｎ  Ｂｌｏｃｋ  ｔｙｐｅ  １）、及び／又はＲＬＭ−ＲＳ（Ｒａｄｉｏ  Ｌｉｎｋ  Ｍｏｎｉｔｏｒｉｎｇ  Ｒｅｆｅｒｅｎｃｅ  Ｓｉｇｎａｌ）など、予め送信タイミングが分かっている無線信号（下りリンク信号）をいう。
【００４２】
このため、アンライセンスバンドにおいては、通信装置（ＵＥ１００、ｇＮＢ２００）は、送信を行う前にＬＢＴ（Ｌｉｓｔｅｎ  Ｂｅｆｏｒｅ  Ｔａｌｋ）を適用することが義務づけられている。
【００４３】
ＬＢＴが適用される場合、ＵＥ１００及びｇＮＢ２００は、妨害波が存在するか否か、すなわち、チャネルが空いているか又は使用中（ビジー）であるかを判定するために、このチャネルの妨害波電力を測定及び監視する。
【００４４】
妨害波が存在しない、すなわち、チャネルが空いていると判定された場合、通信装置は、送信を実行することができる。一方、妨害波が存在する、すなわち、チャネルが使用中であると判定された場合、通信装置は、送信を実行することができない。妨害波が存在しないと判定される場合はＬＢＴ成功とみなされる。妨害波が存在すると判定される場合はＬＢＴ失敗とみなされる。
【００４５】
（セル再選択）
ＲＲＣアイドル状態又はＲＲＣインアクティブ状態にあるＵＥ１００は、セル再選択を行う。ＵＥ１００は、再選択処理を可能にするために、サービングセル及び隣接セルのそれぞれについて受信状態を測定する。ＵＥ１００は、サービングセルが属するキャリア周波数であるサービング周波数とは異なる隣接周波数の検索及び測定のために、隣接周波数を予め把握している。
【００４６】
ＵＥ１００は、サービングセル及び隣接セルのそれぞれの測定結果に基づいてセル再選択を行うことにより、自身がキャンプオンすべきセル（サービングセル）を決定する。
【００４７】
ここで、ＵＥ１００は、サービング周波数と同一のキャリア周波数（イントラ周波数）におけるセル再選択を、各セルの受信状態に応じたランク付けにより行う。具体的には、ＵＥ１００は、最上位にランク付けされたセルを選択する。
【００４８】
ＵＥ１００は、サービング周波数とは異なるキャリア周波数（インター周波数）におけるセル再選択を、キャリア周波数ごとの優先度に基づいて行う。このような周波数優先度は、例えばｇＮＢ２００からＵＥ１００に設定される。ＵＥ１００は、自身が利用可能な最高優先度の周波数にキャンプオンしようと試みる。なお、ＵＥ１００は、サービング周波数と優先度が等しい隣接周波数については、各セルの受信状態に応じたランク付けによりセル再選択を行ってもよい。
【００４９】
一般的なセル再選択において、ＵＥ１００は、開始条件が満たされた場合に、隣接セルの受信状態を測定し、選択条件を満たすセルの中からサービングセルとして用いるセルを選択する。
【００５０】
第１に、開始条件は、以下に示す通りである。
【００５１】
（Ａ１）現在のサービングセルの周波数の優先度よりも高い優先度を有する周波数：
ＵＥ１００は、高い優先度を有する周波数の品質を常に測定する。
【００５２】
（Ａ２）現在のサービングセルの周波数の優先度と等しい優先度又は低い優先度を有する周波数：
ＵＥ１００は、現在のサービングセルの品質が所定閾値を下回った場合に、等しい優先度又は低い優先度を有する周波数の品質を測定する。
【００５３】
第２に、選択条件は、以下に示す通りである。
【００５４】
（Ｂ１）隣接セルの周波数の優先度が現在のサービングセルの優先度よりも高い：
ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを選択する。ここで、Ｓｑｕａｌは所望波の受信品質に応じた値であり、Ｓｒｘｌｅｖは所望波の受信電力に応じた値である。
【００５５】
（Ｂ２）隣接セルの周波数の優先度が現在のサービングセルの優先度と同じである：
ＵＥ１００は、現在のサービングセルのランクＲｓ及び隣接セルのランクＲｎを算出する。ＵＥ１００は、所定期間（ＴｒｅｓｅｌｅｃｔｉｏｎＲＡＴ）に亘ってＲｓよりも高いランクＲｎを有するセルを選択する。
【００５６】
（Ｂ３）隣接セルの周波数の優先度が現在のサービングセルの優先度よりも低い：
ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【００５７】
ＮＲ−Ｕにおいては、ＲＲＣアイドル状態又はＲＲＣインアクティブ状態にあるＵＥ１００は、セル再選択処理により、アンライセンスバンドで運用されるセルを選択しうる。ＵＥ１００は、妨害波が存在しないようなセル、特に、混雑していないセルをセル再選択処理において選択することが望ましい。
【００５８】
（第１実施形態）
第１実施形態に係るセル再選択制御方法は、ＲＲＣアイドル状態又はＲＲＣインアクティブ状態にあるＵＥ１００がアンライセンスバンドにおいて行う方法である。
【００５９】
第１実施形態において、ＵＥ１００は、アンライセンスバンドに属する複数のキャリア周波数又は複数のセルである複数の候補のそれぞれについて混雑度を判定する。混雑度とは、判定対象（キャリア周波数又はセル）がどの程度使用されているかを示す指標をいう。ＵＥ１００は、判定対象における妨害波の受信電力に基づいて混雑度を判定してもよい。
【００６０】
ＵＥ１００は、判定対象（キャリア周波数又はセル）に対するＬＢＴチェックの結果に基づいて混雑度を判定してもよい。例えば、ＵＥ１００は、判定対象における妨害波の受信電力を測定し、測定結果を閾値と比較し、測定結果が閾値未満であれば妨害波が存在しない（すなわち、ＬＢＴ成功）と判定する。一方、測定結果が閾値以上であれば、妨害波が存在する（すなわち、ＬＢＴ失敗）と判定する。そして、ＵＥ１００は、１）ＬＢＴ失敗の場合、２）ＬＢＴがＮ回（Ｎ≧２）以上失敗した場合、３）ＬＢＴチェックが失敗した割合が閾値以上である場合、判定対象が混雑していると判定してもよい。
【００６１】
混雑度の判定方法は、判定対象（キャリア周波数又はセル）のチャネル占有率（Ｃｈａｎｎｅｌ  ｏｃｃｕｐａｎｃｙ）に基づくものであってもよい。チャネル占有率とは、ある一定期間において測定された複数の受信電力（ＲＳＳＩ：Ｒｅｃｅｉｖｅｄ  Ｓｉｇｎａｌ  Ｓｔｒｅｎｇｔｈ  Ｉｎｄｉｃａｔｏｒ）サンプル値のうち閾値を超えるＲＳＳＩサンプル値の割合をいう。この一定期間及び閾値は、ｇＮＢ２００からＵＥ１００に設定されてもよい。また、ｇＮＢ２００は、ＲＳＳＩ測定を行うべきタイミングをＵＥ１００に設定してもよい。そして、ＵＥ１００は、チャネル占有率が閾値を超える場合、判定対象が混雑していると判定してもよい。
【００６２】
混雑度の判定方法は、判定対象（キャリア周波数又はセル）の所望波の受信状態に基づくものであってもよい。例えば、ＵＥ１００は、判定対象について所望波を所定期間にわたって検出することができない場合、判定対象が混雑していると判定してもよい。
【００６３】
ＵＥ１００は、混雑度の判定結果に基づいて、複数の候補（複数のキャリア周波数又は複数のセル）の中から、ＵＥ１００のサービングセルとして用いるために必要とされる選択基準を満たす候補を抽出する。このような選択基準は、Ｓ−ｃｒｉｔｅｒｉｏｎと呼ばれることがある。ＵＥ１００は、選択基準を満たす候補の中から、自身がキャンプオンするセルを選択する。
【００６４】
ここで、一般的な選択基準（Ｓ−ｃｒｉｔｅｒｉｏｎ）は、所望波の受信電力（及び所望波の受信品質）に基づく。所望波は、例えば、ｇＮＢ２００から送信されるＲＬＭ−ＲＳ（Ｒａｄｉｏ  Ｌｉｎｋ  Ｍｏｎｉｔｏｒｉｎｇ  Ｒｅｆｅｒｅｎｃｅ  Ｓｉｇｎａｌ）であってもよいし、ｇＮＢ２００から送信されるＳＳＢ（Ｓｙｎｃｈｒｏｎｉｚａｔｉｏｎ  Ｓｉｇｎａｌ  ａｎｄ  ＰＢＣＨ  ｂｌｏｃｋ）であってもよい。ＵＥ１００は、所望波が送信される時間・周波数リソース及び所望波の信号系列等を予め把握している。
【００６５】
第１実施形態では、所望波の受信電力（及び受信品質）に加えて、混雑度を選択基準において考慮する。具体的には、ＵＥ１００は、混雑していないキャリア周波数又は混雑していないセルを、自身がキャンプオンする対象として抽出する。言い換えると、ＵＥ１００は、混雑しているキャリア周波数又は混雑しているセルを、自身がキャンプオンするキャリア周波数又はセルの候補から除外する。
【００６６】
図６は、第１実施形態に係る選択基準の具体例を示す図である。以下の第１実施形態において、セルの選択基準（Ｃｅｌｌ  Ｓｅｌｅｃｔｉｏｎ  Ｃｒｉｔｅｒｉｏｎ）を例示するが、セルをキャリア周波数と読み替えてもよい。また、混雑度としてチャネル占有率を用いる一例を示している。
【００６７】
図６に示すように、セルの選択基準（Ｃｅｌｌ  Ｓｅｌｅｃｔｉｏｎ  Ｃｒｉｔｅｒｉｏｎ）は、セルの混雑度に応じた値（Ｓｏｃｃｕｐ）が第１閾値（Ｔｈ）より大きく、セルの受信電力に応じた値（Ｓｒｘｌｅｖ）が第２閾値（０）より大きく、且つ、セルの受信品質に応じた値（Ｓｑｕａｌ）が第３閾値（０）より大きいという基準である。
【００６８】
ここで、セルの混雑度に応じた値（Ｓｏｃｃｕｐ）が第１閾値（Ｔｈ）より大きいという条件Ａは、一般的なセルの選択基準には無い条件である。セルの混雑度に応じた値（Ｓｏｃｃｕｐ）が第１閾値（Ｔｈ）より大きいという条件Ａは、アンライセンスバンドにおいてのみ適用される条件であってもよい。第１閾値（Ｔｈ）は、ＵＥ１００に予め設定された固定値であってもよいし、ｇＮＢ２００からＵＥ１００に設定される可変値であってもよい。第１閾値（Ｔｈ）は、正の値であってよい。第１閾値（Ｔｈ）は、０であってよい。
【００６９】
具体的には、図６において、Ｓｒｘｌｅｖは、セルの所望波の受信電力を表している。Ｓｒｘｌｅｖは、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、セルの所望波の受信電力であって、ＵＥ１００が測定した値である。Ｑｒｘｌｅｖｍｉｎは、最小要求受信電力である。Ｑｒｘｌｅｖｍｉｎｏｆｆｓｅｔは、セルに定常的に適用される所定オフセットである。Ｐｃｏｍｐｅｎｓａｔｉｏｎは、アップリンクの能力に関するパラメータである。Ｑｏｆｆｓｅｔｔｅｍｐは、セルに一時的に適用されるオフセットである。
【００７０】
また、Ｓｑｕａｌは、セルの所望波の品質レベルを表している。Ｓｑｕａｌは、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、セルの所望波の品質レベルであって、ＵＥ１００が測定した値である。所望波の品質レベルは、所望波対妨害波比（ＳＩＮＲ：Ｓｉｇｎａｌ?ｔｏ?Ｉｎｔｅｒｆｅｒｅｎｃｅ  ｐｌｕｓ  Ｎｏｉｓｅ  ｐｏｗｅｒ  Ｒａｔｉｏ）であってもよい。Ｑｑｕａｌｍｉｎは、最小要求品質レベルである。Ｑｑｕａｌｍｉｎｏｆｆｓｅｔは、セルに定常的に適用される所定オフセットである。Ｑｏｆｆｓｅｔｔｅｍｐは、セルに一時的に適用されるオフセットである。
【００７１】
また、Ｓｏｃｃｕｐは、セルの混雑レベルを表している。Ｓｏｃｃｕｐは、（Ｑｏｃｃｕｐ＿ｍａｘ＋Ｑｏｃｃｕｐ＿ｏｆｆｓｅｔ）−（Ｑｏｃｃｕｐ＿ｍｅａｓ）によって算出される。Ｑｏｃｃｕｐ＿ｍｅａｓは、セルのチャネル占有率であって、ＵＥ１００が測定した値である。Ｑｏｃｃｕｐ＿ｍａｘは、最大許容チャネル占有率である。Qｏｃｃｕｐ＿ｏｆｆｓｅｔは、セルに適用される所定オフセットである。
【００７２】
なお、セルの選択で用いる各種オフセット等のパラメータは、ｇＮＢ２００からブロードキャストされる情報（ＳＩＢ：Ｓｙｓｔｅｍ  Ｉｎｆｏｒｍａｔｉｏｎ  Ｂｌｏｃｋ）に含まれる。
【００７３】
ＵＥ１００は、セルの選択基準を満たすセルの中から、サービングセルとして用いるセル（すなわち、ＵＥ１００がキャンプオンするセル）を選択する。ここで、ＵＥ１００は、現在のサービングセルが属するサービング周波数と同一のキャリア周波数（イントラ周波数）、及びサービング周波数と同一の優先度を有する他のキャリア周波数（インター周波数）について、受信状態に基づくランク付けを行う。そして、ＵＥ１００は、最上位にランク付けされたセルを、サービングセルとして用いるセル（キャンプオンするセル）として選択する。
【００７４】
一般的なランク付け基準（Ｒ−ｃｒｉｔｅｒｉｏｎ）は、所望波の受信電力に基づく。所望波の受信電力が高いほど、上位にランク付けされることになる。第１実施形態では、所望波の受信電力に加えて、混雑度をランク付け基準において考慮する。具体的には、ＵＥ１００は、混雑していないセルが上位にランク付けされるように調整する。言い換えると、ＵＥ１００は、混雑しているセルが下位にランク付けされるように調整する。
【００７５】
図７は、第１実施形態に係るランク付け基準の具体例を示す図である。図７において、混雑度としてチャネル占有率を用いる一例を示している。
【００７６】
図７に示すように、現在のサービングセルのランク付け基準であるＲｓは、Ｒｓ＝Ｑｍｅａｓ，ｓ＋Ｑｈｙｓｔ−Ｑｏｆｆｓｅｔｔｅｍｐ-Ｑｍｅａｓ，ｃｏｎｇｅｓｔｉｏｎによって算出される。Ｑｍｅａｓ，ｓは、現在のサービングセルの所望波の受信電力であって、ＵＥ１００が測定した値である。Ｑｈｙｓｔ及びＱｏｆｆｓｅｔｔｅｍｐは、現在のサービングセルに適用される所定オフセットである。Ｑｍｅａｓ，ｃｏｎｇｅｓｔｉｏｎは、現在のサービングセルのチャネル占有率（混雑度）に応じたオフセット値であって、ＵＥ１００が測定した値である。Ｑｍｅａｓ，ｃｏｎｇｅｓｔｉｏｎは、ｇＮＢ２００からブロードキャストされる情報（ＳＩＢ）に含まれてもよい。ＵＥ１００が測定した混雑度とＱｍｅａｓ，ｃｏｎｇｅｓｔｉｏｎとのマッピングテーブルがＳＩＢに含まれてもよい。
【００７７】
よって、現在のサービングセルの混雑度が高いほど、現在のサービングセルのランクＲｓが低なるように調整される。
【００７８】
また、隣接セルのランク付け基準であるＲｎは、Ｒｎ＝Ｑｍｅａｓ，ｎ＋Ｑｏｆｆｓｅｔ−Ｑｏｆｆｓｅｔｔｅｍｐ-Ｑｍｅａｓ，ｃｏｎｇｅｓｔｉｏｎによって算出される。Ｑｍｅａｓ，ｎは、隣接セルの所望波の受信電力であって、ＵＥ１００が測定した値である。Ｑｏｆｆｓｅｔ及びＱｏｆｆｓｅｔｔｅｍｐは、隣接セルに適用される所定オフセットである。Ｑｍｅａｓ，ｃｏｎｇｅｓｔｉｏｎは、隣接セルのチャネル占有率（混雑度）に応じたオフセット値であって、ＵＥ１００が測定した値である。Ｑｍｅａｓ，ｃｏｎｇｅｓｔｉｏｎは、ｇＮＢ２００からブロードキャストされる情報（ＳＩＢ）に含まれてもよい。ＵＥ１００が測定した混雑度とＱｍｅａｓ，ｃｏｎｇｅｓｔｉｏｎとのマッピングテーブルがＳＩＢに含まれてもよい。
【００７９】
よって、隣接セルの混雑度が高いほど、隣接セルのランクＲｎが低くなるように調整される。
【００８０】
なお、ランク付けで用いる各種オフセット等のパラメータは、ｇＮＢ２００からブロードキャストされる情報（ＳＩＢ）に含まれる。
【００８１】
図８は、第１実施形態に係るセル再選択制御方法を示す図である。
【００８２】
図８に示すように、ステップＳ１０１において、ＵＥ１００は、各種の測定を行う。例えば、ＵＥ１００は、現在のサービングセル及び隣接セルのそれぞれについて、所望波の受信電力及び／もしくは受信品質、並びに／又は妨害波の受信電力の測定を行う。隣接セルは、イントラ周波数に属する隣接セルであってもよいし、インター周波数に属する隣接セルであってもよい。
【００８３】
ステップＳ１０２において、ＵＥ１００は、ステップＳ１０１で測定した妨害波の受信電力に少なくとも基づいて、現在のサービングセル及び隣接セルのそれぞれについて混雑度を判定する。
【００８４】
ステップＳ１０３において、ＵＥ１００は、ステップＳ１０２で判定した混雑度を考慮して、セルの選択基準（Ｓ−ｃｒｉｔｅｒｉｏｎ）を満たす隣接セルを抽出する。
【００８５】
ステップＳ１０４において、ＵＥ１００は、ステップＳ１０２で判定した混雑度を考慮して、現在のサービングセル及び隣接セルのそれぞれをランク付けすることにより、ランク付け基準（Ｒ−ｃｒｉｔｅｒｉｏｎ）が最も高いセルを、ＵＥ１００がキャンプオンするセルとして選択する。
【００８６】
ここでは、ステップＳ１０３及びＳ１０４の両方において混雑度を考慮しているが、ステップＳ１０３及びＳ１０４のいずれか一方のみにおいて混雑度を考慮してもよい。
【００８７】
（第１実施形態の変更例）
上述した実施形態において、セルの選択基準（Ｓ−ｃｒｉｔｅｒｉｏｎ）及びランク付け基準（Ｒ−ｃｒｉｔｅｒｉｏｎ）において、セルの混雑度に基づく判定条件やセルの混雑度を示すオフセット値を新たに導入する一例について説明した。
【００８８】
しかしながら、セルの選択基準（Ｓ−ｃｒｉｔｅｒｉｏｎ）及びランク付け基準（Ｒ−ｃｒｉｔｅｒｉｏｎ）において、新たな判定基準や新たなオフセット値を導入することに代えて、既存の判定基準やオフセット値を、セルの混雑度に基づいて調整してもよい。
【００８９】
例えば、図６に示すセルの選択基準（Ｓ−ｃｒｉｔｅｒｉｏｎ）において、所望波の受信電力に応じた値であるＳｒｘｌｅｖの計算式に含まれるオフセット値（Ｑｒｘｌｅｖｍｉｎ、Ｑｒｘｌｅｖｍｉｎｏｆｆｓｅｔ、Ｐｃｏｍｐｅｎｓａｔｉｏｎ、Ｑｏｆｆｓｅｔｔｅｍｐ）のいずれかを、対応するセルの混雑度に応じて調整（スケーリング）してもよい。所望波の受信品質に応じた値であるＳｑｕａｌの計算式に含まれるオフセット値（Ｑｑｕａｌｍｉｎ、Ｑｑｕａｌｍｉｎｏｆｆｓｅｔ、Ｑｏｆｆｓｅｔｔｅｍｐ）のいずれかを、対応するセルの混雑度に応じて調整（スケーリング）してもよい。
【００９０】
また、図７に示すランク付け基準（Ｒ−ｃｒｉｔｅｒｉｏｎ）において、現在のサービングセルのランク付け基準Ｒｓの計算式に含まれるオフセット値（Ｑｈｙｓｔ、Ｑｏｆｆｓｅｔｔｅｍｐ）のいずれかを、現在のサービングセルの混雑度に応じて調整（スケーリング）してもよい。隣接セルのランク付け基準Ｒｎの計算式に含まれるオフセット値（Ｑｏｆｆｓｅｔ、Ｑｏｆｆｓｅｔｔｅｍｐ）のいずれかを、隣接セルの混雑度に応じて調整（スケーリング）してもよい。
【００９１】
図９は、第１実施形態の変更例に係るセル再選択制御方法を示す図である。
【００９２】
図９に示すように、ＵＥ１００は、セルごとに、混雑度に応じたクラス分けを行う。例えば、セルごとに混雑度を閾値（Ｔｈｒｅｓｈ＿ｃｏｎｇｅｓｔｉｏｎ＿Ｈ、Ｔｈｒｅｓｈ＿ｃｏｎｇｅｓｔｉｏｎ＿Ｌ）と比較し、混雑度の状態が所定期間（Ｔ＿ｃｏｎｇｅｓｔｉｏｎ）にわたって継続した場合、混雑度の状態として、混雑度高（Ｈｉｇｈ）、混雑度中（Ｍｉｄ）、混雑度低（Ｎｏｒｍａｌ）のいずれかに分類する。これらの閾値（Ｔｈｒｅｓｈ＿ｃｏｎｇｅｓｔｉｏｎ＿Ｈ、Ｔｈｒｅｓｈ＿ｃｏｎｇｅｓｔｉｏｎ＿Ｌ）及び所定期間（Ｔ＿ｃｏｎｇｅｓｔｉｏｎ）は、ｇＮＢ２００からブロードキャストされるＳＩＢに含まれてもよい。
【００９３】
そして、分類された混雑度状態に応じて、上述したようにオフセット値を調整（スケーリング）する。例えば、現在のサービングセルのランク付け基準Ｒｓの計算式に含まれるＱｈｙｓｔを調整する場合、Ｑｈｙｓｔ＝Ｑｈｙｓｔ×ｓｃａｌｉｎｇ  ｆａｃｔｏｒ（Ｈｉｇｈ  ｃｏｎｇｅｓｔｉｏｎ）というように調整（スケーリング）する。なお、ＵＥ１００は、混雑度低（Ｎｏｒｍａｌ）の場合、スケーリングを行わなくてもよい。また、スケーリングファクターは、ｇＮＢ２００からブロードキャストされる情報に含まれてもよい。
【００９４】
ここでは、セルの選択基準（Ｓ−ｃｒｉｔｅｒｉｏｎ）及びランク付け基準（Ｒ−ｃｒｉｔｅｒｉｏｎ）に含まれるオフセット値をスケーリングする一例について説明したが、上述したＴｒｅｓｅｌｅｃｔｉｏｎＲＡＴを混雑度に応じてスケーリングしてもよい。
【００９５】
（第２実施形態）
第２実施形態について、第１実施形態との相違点を主として説明する。
【００９６】
第２実施形態においては、セル再選択におけるキャリア周波数ごとの優先度である周波数優先度（絶対優先度）を考慮する。周波数優先度は、ｇＮＢ２００からＵＥ１００に対してブロードキャストシグナリング（ＳＩＢ）又はユニキャストシグナリング（ＵＥ専用シグナリング）により設定される。具体的には、周波数優先度はキャリア周波数の識別子とセットで提供され、このセットを複数含むリストとして構成される。
【００９７】
ここで、ユニキャストシグナリングにより設定される周波数優先度は、ＵＥ専用優先度と呼ばれることがある。ＵＥ専用優先度は、ｇＮＢ２００から、ＲＲＣコネクティッド状態にあるＵＥ１００に送信されるＲＲＣ解放メッセージに含まれる。ＲＲＣ解放メッセージは、ＲＲＣ接続を解放又は中断させるためのメッセージである。ＵＥ１００は、ＲＲＣ解放メッセージの受信に応じて、ＲＲＣアイドル状態又はＲＲＣインアクティブ状態に遷移する。
【００９８】
一般的なＵＥ専用優先度は、ＵＥ１００がＲＲＣアイドル状態又はＲＲＣインアクティブ状態に遷移する際に適用される。すなわち、ＵＥ１００は、ＲＲＣ解放メッセージに含まれるＵＥ専用優先度を直ちに適用し、ＵＥ専用優先度に基づいてセル再選択を行う。
【００９９】
しかしながら、アンライセンスバンドにおいては、ｇＮＢ２００が将来における妨害波の発生を予測することが困難であり、アンライセンスバンドにおける無線状態は時々刻々と変化する。このため、ｇＮＢ２００がＵＥ１００に対してＵＥ専用優先度を設定した後、時間の経過に応じて、設定されたＵＥ専用優先度が不適切なものになりうる。
【０１００】
第２実施形態においては、条件付き優先度という新たなＵＥ専用優先度を導入する。ＵＥ１００は、ＲＲＣアイドル状態又はＲＲＣインアクティブ状態に遷移した際に、条件付き優先度を直ちに適用することに代えて、現在のサービングセルに関する所定の条件が満たされるまでは条件付き優先度の適用を保留する。そして、ＵＥ１００は、所定の条件が満たされた場合、条件付き優先度を適用する。これにより、ＵＥ１００は、条件付き優先度（ＵＥ専用優先度）が設定された後、適切なタイミングで条件付き優先度（ＵＥ専用優先度）を適用できる。
【０１０１】
図１０は、第２実施形態に係るセル再選択制御方法を示す図である。
【０１０２】
図１０に示すように、ステップＳ２０１において、ＲＲＣコネクティッド状態にあるＵＥ１００は、ＲＲＣ解放メッセージをｇＮＢ２００から受信し、ＲＲＣアイドル状態又はＲＲＣインアクティブ状態に遷移する。
【０１０３】
ＲＲＣ解放メッセージは、セル再選択における優先度をキャリア周波数ごとに定める条件付き優先度（Ｃｏｎｄｉｔｉｏｎａｌ  ｄｅｄｉｃａｔｅｄ  ｐｒｉｏｒｉｔｙ）を含む。
【０１０４】
ＲＲＣ解放メッセージは、条件付き優先度とは別に、セル再選択における優先度をキャリア周波数ごとに定める一般的な周波数優先度をさらに含んでもよい。一般的な周波数優先度は、ＵＥ１００が直ちに適用するべきＵＥ専用優先度である。以下において、一般的な周波数優先度を条件無し優先度（Ｎｏｎ−ｃｏｎｄｉｔｉｏｎａｌ  ｄｅｄｉｃａｔｅｄ  ｐｒｉｏｒｉｔｙ）と呼ぶ。
【０１０５】
ＲＲＣ解放メッセージは、条件付き優先度（Ｃｏｎｄｉｔｉｏｎａｌ  ｄｅｄｉｃａｔｅｄ  ｐｒｉｏｒｉｔｙ）の適用条件（所定の条件）をＵＥ１００に対して指定するための設定情報を含んでもよい。
【０１０６】
ここで、所定の条件は、Ａ１）現在のサービングセルの混雑度が上昇したという条件及びＡ２）現在のサービングセルの所望波の受信状態が劣化したという条件のうち少なくとも一方を含んでもよい。例えば、所定の条件は、サービングセルの混雑度が閾値を越えたという条件であってもよいし、サービングセルが混雑しているとＵＥ１００が判定したという条件であってもよい。
【０１０７】
所定の条件は、Ｂ）ＲＲＣアイドル状態又はＲＲＣインアクティブ状態からＲＲＣコネクティッド状態に遷移する必要が生じたという条件を含んでもよい。例えば、所定の条件は、ＲＲＣ  Ｃｏｎｎｅｃｔｉｏｎを確立、復旧、又は再確立しようとする時（ＰＲＡＣＨ送信、ＲＲＣ  Ｒｅｑｕｅｓｔ送信、ＲＲＣ  Ｒｅｓｕｍｅ  Ｒｅｑｕｅｓｔ送信、ＲＲＣ  Ｒｅｅｓｔａｂｌｉｓｈｍｅｎｔ  Ｒｅｑｕｅｓｔ送信のいずれかを行う必要が生じた場合）であってもよい。
【０１０８】
所定の条件は、上記Ａ１）及びＡ２）の条件の少なくとも一つと上記Ｂ）の条件との組み合わせでもよい。例えば、ＵＥ１００は、ＰＲＡＣＨ送信前に、”混雑度”の条件が満たされた場合に、条件付き優先度を適用してセル再選択を行う。
【０１０９】
ＲＲＣ解放メッセージは、条件付き優先度（Ｃｏｎｄｉｔｉｏｎａｌ  ｄｅｄｉｃａｔｅｄ  ｐｒｉｏｒｉｔｙ）の適用可能期間を定める第１のタイマの値を含んでもよい。ＵＥ１００は、ＲＲＣ解放メッセージの受信時に第１のタイマを開始させ、第１のタイマが満了すると、条件付き優先度の設定を無効化（破棄）する。ＵＥ１００は、第１のタイマの動作中に条件付き優先度を適用すると、第１のタイマを停止させる。
【０１１０】
ＲＲＣ解放メッセージは、条件付き優先度（Ｃｏｎｄｉｔｉｏｎａｌ  ｄｅｄｉｃａｔｅｄ  ｐｒｉｏｒｉｔｙ）の適用を継続可能な期間を定める第２のタイマの値を含んでもよい。ＵＥ１００は、条件付き優先度を適用すると、第２のタイマを開始させ、第２のタイマが満了すると、条件付き優先度の設定を無効化（破棄）する。
【０１１１】
なお、ＵＥ１００は、条件付き優先度の設定を無効化（破棄）した場合、ＳＩＢで通知されている周波数優先度をセル再選択に適用してもよい。
【０１１２】
ＲＲＣ解放メッセージは、条件無し優先度（Ｎｏｎ−ｃｏｎｄｉｔｉｏｎａｌ  ｄｅｄｉｃａｔｅｄ  ｐｒｉｏｒｉｔｙ）の適用を継続可能な期間を定める第３のタイマの値を含んでもよい。ＵＥ１００は、ＲＲＣ解放メッセージの受信時に第３のタイマを開始させ、第３のタイマが満了すると、条件付き優先度の設定を無効化（破棄）する。
【０１１３】
ステップＳ２０２において、ＲＲＣ解放メッセージの受信に応じてＲＲＣアイドル状態又はＲＲＣインアクティブ状態に遷移したＵＥ１００は、条件付き優先度を直ちに適用することに代えて、現在のサービングセルに関する所定の条件が満たされるまでは条件付き優先度の適用を保留する。
【０１１４】
ここで、ＵＥ１００は、ＲＲＣアイドル状態又はＲＲＣインアクティブ状態に遷移する際に、条件無し優先度をセル再選択に適用してもよい。
【０１１５】
また、ＵＥ１００は、ＲＲＣアイドル状態又はＲＲＣインアクティブ状態に遷移する際に、第１のタイマ及び第３のタイマを開始させてもよい。
【０１１６】
ステップＳ２０３において、ＵＥ１００は、ＲＲＣ解放メッセージにおいて指定された所定の条件が満たされたか否かを確認する。所定の条件が満たされた場合（ステップＳ２０３：ＹＥＳ）、ＵＥ１００は、処理をステップＳ２０４に進める。
【０１１７】
ステップＳ２０４において、ＵＥ１００は、条件付き優先度をセル再選択に適用する。
【０１１８】
ここで、ＵＥ１００は、第２のタイマを開始させてもよい。
【０１１９】
また、ＵＥ１００は、所定の条件が満たされたことに応じて、それまで適用していた条件無し優先度を条件付き優先度で上書きすることにより、条件付き優先度の適用を開始してもよい。ここで、ＵＥ１００は、条件無し優先度を破棄してもよいし、条件無し優先度を保持してもよい。条件無し優先度を保持する場合、ＵＥ１００は、第２のタイマの満了時に、条件付き優先度の適用を終了し、条件付き優先度の適用を再開してもよい。
【０１２０】
ＵＥ１００は、所定の条件が満たされたことに応じて、セル再選択における優先度として、現在のサービングセルの優先度又は現在のサービングセルが属するキャリア周波数の優先度を最低優先度に設定してもよい。これにより、隣接セル又は隣接周波数へのセル再選択をし易くすることができる。
【０１２１】
なお、本動作フローにおいては、現在のサービングセル（すなわち、ＲＲＣ解放メッセージ受信時点のセル）に関する所定の条件が満たされる前にＵＥ１００が隣接セルへのセル再選択を行う場合について特に考慮していない。
【０１２２】
しかしながら、所定の条件が満たされる前にＵＥ１００が隣接セルへのセル再選択を行う場合、ＵＥ１００は、条件付き優先度の設定を破棄してもよいし、条件付き優先度の設定を保持してもよい。条件付き優先度の設定を保持する場合、セル再選択後における現在のサービングセルはセル再選択先のセルであり、所定の条件は、セル再選択先のセルについての条件ということになる。
【０１２３】
（第１及び第２実施形態の変更例１）
第１及び第２実施形態の変更例１について、第１及び第２実施形態との相違点を主として説明する。
【０１２４】
一般的に、アンライセンスバンドにおいて、妨害波が存在するか否かの判定（ＬＢＴチェック）は、送信データが発生した場合に実行される。具体的には、アンライセンスバンドで運用されるセルに在圏する第１通信装置から第２通信装置に送信するデータが発生した場合、第１通信装置の物理レイヤが、アンライセンスバンドについて妨害波電力を測定することによりＬＢＴチェックを行う。しかしながら、ＮＲ−Ｕにおいては、送信データが発生していない場合であってもＬＢＴチェックを実施できることが望まれる。
【０１２５】
図１１は、第１及び第２実施形態の変更例１を示す図である。ここでは、ＵＥ１００の動作を例に挙げて説明するが、図８の動作をｇＮＢ２００が行ってもよい。なお、ＵＥ１００はアンライセンスバンドで運用されるセルにおいてＲＲＣアイドル状態又はＲＲＣインアクティブ状態にあると仮定しているが、ＵＥ１００がＲＲＣコネクティッド状態であってもよい。
【０１２６】
図１１に示すように、ステップＳ３０１において、ＵＥ１００の上位レイヤは、ＵＥ１００（第１通信装置）から他の通信装置（第２通信装置）に送信するデータが発生していない場合であっても、ＵＥ１００の物理レイヤに対してＬＢＴチェックを行うように指示する。この指示を行うトリガの具体例については、変更例３においても説明する。ここで、上位レイヤは、ＭＡＣレイヤであってもよいし、ＲＲＣレイヤであってもよい。
【０１２７】
例えば、上位レイヤは、ＬＢＴチェックを行うように指示するＬＢＴ  ｃｈｅｃｋ  ｉｎｄｉｃａｔｉｏｎを物理レイヤに通知する。上位レイヤは、物理レイヤが何回ＬＢＴ  ｃｈｅｃｋを実施すべきか（例えば、Ｎ回（Ｎ≧１））を物理レイヤに通知してもよい。
【０１２８】
また、上位レイヤは、ＬＢＴチェック対象のキャリア周波数又はチャネルを物理レイヤに通知してもよい。ＬＢＴチェック対象は、サービングセルのキャリア周波数であるサービング周波数、サービング周波数の一部の帯域（チャネル）、サービング周波数とは異なる隣接周波数（具体的には、アンライセンスバンドに属する隣接周波数）、及び／又は隣接周波数の一部の帯域（チャネル）であってもよい。
【０１２９】
ステップＳ３０２において、ＵＥ１００の物理レイヤは、上位レイヤからの指示に応じてＬＢＴチェックを行う。物理レイヤは、上位レイヤから通知された回数のＬＢＴチェックを行ってもよい。
【０１３０】
ステップＳ３０３において、ＵＥ１００の物理レイヤは、ステップＳ３０２のＬＢＴチェックの結果を上位レイヤに通知する。例えば、物理レイヤは、ＬＢＴ成功又はＬＢＴ失敗を上位レイヤに通知する。物理レイヤは、複数回のＬＢＴ  ｃｈｅｃｋ結果を上位レイヤに通知してもよい（例えば、Ｍ回成功、Ｌ回失敗（Ｍ，Ｌ≧０））。物理レイヤは、ＬＢＴ  ｃｈｅｃｋを実行した回数と、成功した回数とを上位レイヤに通知し、失敗した回数を上位レイヤに通知しなくともよい。物理レイヤは、ＬＢＴ  ｃｈｅｃｋを実行した回数と、失敗した回数とを上位レイヤに通知し、成功した回数を上位レイヤに通知しなくてもよい。
【０１３１】
ステップＳ３０４において、ＵＥ１００の上位レイヤは、物理レイヤからの通知に基づいて、アンライセンスバンドについて混雑度を判定（判定）する。例えば、上位レイヤは、ＬＢＴチェック失敗の場合、ＬＢＴチェックがＮ回（Ｎ≧２）以上失敗した場合、ＬＢＴチェックが失敗した割合が閾値以上である場合、ＬＢＴチェック対象のキャリア周波数又はチャネルが混雑していると判定してもよい。
【０１３２】
変更例１によれば、物理レイヤと上位レイヤとの間のレイヤ間の協調により、送信データが発生していない場合であってもＬＢＴチェックを実施可能とすることができる。
【０１３３】
（第１及び第２実施形態の変更例２）
第１及び第２実施形態の変更例２について、第１及び第２実施形態との相違点を主として説明する。
【０１３４】
上述したように、セル再選択処理においては、ｇＮＢ２００からＵＥ１００に周波数優先度が設定され、ＵＥ１００は周波数優先度を考慮してセル再選択処理を行う。例えば、ＵＥ１００は、現在のサービングセルのキャリア周波数に設定された優先度よりも高い優先度を有する隣接周波数が存在する場合、この隣接周波数に対する測定（所望波の受信電力の測定）を常に行う。このような測定は、インター周波数測定と呼ばれる。
【０１３５】
しかしながら、ＮＲ−Ｕにおいて、高優先度の隣接周波数が混雑している場合には、この隣接周波数に属するセルを再選択することは好ましくないため、この隣接周波数に対する測定を行わないことが望ましい。これにより、測定によるＵＥ１００の消費電力を節約できる。
【０１３６】
変更例２において、ＲＲＣアイドル状態又はＲＲＣインアクティブ状態にあるＵＥ１００は、現在のサービングセルのキャリア周波数に設定された優先度よりも高い優先度を有する高優先度周波数について妨害波電力を測定することにより、高優先度周波数について混雑度を判定する。混雑度の判定方法については、上述した第１実施形態及び第２実施形態と同様である。
【０１３７】
そして、ＵＥ１００は、高優先度周波数が混雑していると判定した場合、一定期間において高優先度周波数に対する測定をスキップする。ここで、この一定期間を規定するタイマの値は、ｇＮＢ２００からＵＥ１００にＳＩＢ又は専用ＲＲＣシグナリングにより設定されてもよい。
【０１３８】
例えば、ＵＥ１００は、高優先度周波数が混雑していると判定した場合、一定期間において、混雑度判定（すなわち、妨害波電力の測定）をスキップしてもよいし、この高優先度周波数に対するインター周波数測定（すなわち、所望波電力の測定）をスキップしてもよい。
【０１３９】
ＵＥ１００は、高優先度周波数が混雑していると判定した場合、一定期間において、この高優先度周波数に設定された優先度を下げる（例えば、最低優先度とみなす）ことにより測定を抑制してもよい。
【０１４０】
図１２は、第１及び第２実施形態の変更例２を示す図である。本動作において、ＵＥ１００はアンライセンスバンドで運用されるセルにおいてＲＲＣアイドル状態又はＲＲＣインアクティブ状態にあると仮定している。
【０１４１】
図１２に示すように、ステップＳ４０１において、ＵＥ１００は、高優先度周波数について妨害波電力を測定することにより混雑度を判定する。
【０１４２】
高優先度周波数が混在していると判定した場合（ステップＳ４０２：ＹＥＳ）、ステップＳ４０３において、ＵＥ１００は、タイマをスタートするとともに、高優先度周波数に対する測定をスキップする。ＵＥ１００は、タイマが動作している間は、高優先度周波数に対する測定スキップを継続する。
【０１４３】
ステップＳ４０４において、ＵＥ１００は、サービング周波数について妨害波電力を測定することにより混雑度を判定する。
【０１４４】
サービング周波数が混在していると判定した場合（ステップＳ４０５：ＹＥＳ）、ステップＳ４０６において、ＵＥ１００は、タイマを停止し、ステップＳ４０１に処理を戻す。
【０１４５】
一方、サービング周波数が混在していないと判定した場合（ステップＳ４０５：ＮＯ）、ステップＳ４０７において、ＵＥ１００は、タイマが満了したか否かを確認する。タイマが満了した場合（ステップＳ４０７：ＹＥＳ）、ＵＥ１００は、ステップＳ４０１に処理を戻す。タイマが満了していない場合（ステップＳ４０７：ＮＯ）、ＵＥ１００は、ステップＳ４０４に処理を戻す。
【０１４６】
変更例２によれば、高優先度の隣接周波数が混雑している場合に、この隣接周波数に対する測定を行わないことにより、ＵＥ１００の消費電力を節約できる。
【０１４７】
（第１及び第２実施形態の変更例３）
第１及び第２実施形態の変更例３について、第１及び第２実施形態との相違点を主として説明する。
【０１４８】
上述した混雑度判定（特に、チャネル占有率の測定）は、ＵＥ１００の消費電力が大きいため、できる限り混雑度判定を行う時間及び回数を削減することが望ましい。
【０１４９】
図１３は、第１及び第２実施形態の変更例３を示す図である。本動作において、ＵＥ１００はアンライセンスバンドで運用されるセルにおいてＲＲＣアイドル状態又はＲＲＣインアクティブ状態にあると仮定している。
【０１５０】
図１３に示すように、ＵＥ１００は、所定条件が満たされた場合（ステップＳ５０１）に限り、ステップＳ５０２において、アンライセンスバンドについて妨害波電力を測定することにより混雑度を判定する。
【０１５１】
ここで、混雑度判定は、基本的には現在のサービングセル（サービング周波数）の混雑度判定を想定しているが、隣接セル（隣接周波数）に対して適用されてもよい。例えば、ＵＥ１００は、現在のサービングセル（サービング周波数）が混雑していた場合に、隣接セル（隣接周波数）の混雑度判定を行ってもよい。ＵＥ１００は、現在のサービングセル（サービング周波数）に設定された優先度が最高優先度ではない又は最上ランク（すなわち、所望波電力の受信電力が最も高い）ではない場合に、隣接セル（隣接周波数）の混雑度判定を行ってもよい。このような動作は、上述した各実施形態においても同様に適用してもよい。
【０１５２】
混雑度判定を実行するべき所定条件は、ＵＥ１００がサービングセルから受信する無線信号の受信電力（所望波電力）が閾値を下回ったという条件であってもよい。所望波電力がゼロである場合、ＵＥ１００は、ｇＮＢ２００がＬＢＴに失敗したとみなし、サービング周波数が混雑していると判定してもよい。ＵＥ１００は、サービング周波数が混雑していないと判定した場合、同一周波数の他セルへのセル再選択を行ってもよい。ＵＥ１００は、サービング周波数が混雑していると判定した場合、インター周波数測定を行い、隣接周波数の他セルへのセル再選択を行ってもよい。
【０１５３】
混雑度判定を実行するべき所定条件は、ＵＥ１００がセルを介してトラッキングエリア更新処理（ＴＡＵ：Ｔｒａｃｋｉｎｇ  Ａｒｅａ  Ｕｐｄａｔｅ）又はＲＡＮノティフィケーションエリア更新処理（ＲＮＡＵ：ＲＡＮ−ｂａｓｅｄ  Ｎｏｔｉｆｉｃａｔｉｏｎ  Ａｒｅａ  Ｕｐｄａｔｅ）を行うという条件であってもよい。ＴＡＵは、ＵＥ１００が一のトラッキングエリアから他のトラッキングエリアに移動する際にＡＭＦに対して通知する処理である。ＲＮＡＵは、ＲＲＣコネクティッド状態にあるＵＥ１００が一のＲＡＮ−ｂａｓｅｄ  Ｎｏｔｉｆｉｃａｔｉｏｎ  Ａｒｅａから他のＲＡＮ−ｂａｓｅｄ  Ｎｏｔｉｆｉｃａｔｉｏｎ  Ａｒｅａに移動する際に移動先のｇＮＢ２００に対して通知する処理である。ここで、ＵＥ１００は、サービング周波数及び隣接周波数のそれぞれについて混雑度判定を行い、これらの周波数のうち混雑していない周波数において送信を行ってもよい。
【０１５４】
混雑度判定を実行するべき所定条件は、ＵＥ１００がセルに対する接続処理を行うという条件であってもよい。接続処理は、ランダムアクセスプロシージャにおけるＰＲＡＣＨ（Ｐｈｙｓｉｃａｌ  Ｒａｎｄｏｍ  Ａｃｃｅｓｓ  Ｃｈａｎｎｅｌ）送信であってもよいし、ランダムアクセスプロシージャにおけるＭｓｇ３（例えば、ＲＲＣ  Ｒｅｑｕｅｓｔメッセージ）送信であってもよい。ここで、ＵＥ１００は、サービング周波数及び隣接周波数のそれぞれについて混雑度判定を行い、これらの周波数のうち混雑していない周波数において送信を行ってもよい。
【０１５５】
混雑度判定を実行するべき所定条件は、ＵＥ１００がセル再選択処理を行うという条件であってもよい。ここで、ＵＥ１００は、サービング周波数が混雑している場合、インター周波数測定を行ってもよい。
【０１５６】
（その他の実施形態）
上述した各実施形態は、別個独立して実施するだけではなく、２以上の実施形態を組み合わせて実施してもよい。
【０１５７】
上述した各実施形態において、５Ｇシステム（ＮＲ）について主として説明したが、各実施形態に係る動作をＬＴＥに適用してもよい。
【０１５８】
なお、ＵＥ１００又はｇＮＢ２００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１５９】
また、ＵＥ１００又はｇＮＢ２００が行う各処理を実行する回路を集積化し、ＵＥ１００又はｇＮＢ２００の少なくとも一部を半導体集積回路（チップセット、ＳｏＣ）として構成してもよい。
【０１６０】
以上、図面を参照して一実施形態について詳しく説明したが、具体的な構成は上述のものに限られることはなく、要旨を逸脱しない範囲内において様々な設計変更等をすることが可能である。
【０１６１】
本願は、米国仮出願第６２／７９５６８４号（２０１９年１月２３日出願）の優先権を主張し、その内容の全てが本願明細書に組み込まれている。
【図１】
2020153214.tif 000003
【図２】
2020153214.tif 000004
【図３】
2020153214.tif 000005
【図４】
2020153214.tif 000006
【図５】
2020153214.tif 000007
【図６】
2020153214.tif 000008
【図７】
2020153214.tif 000009
【図８】
2020153214.tif 000010
【図９】
2020153214.tif 000011
【図１０】
2020153214.tif 000012
【図１１】
2020153214.tif 000013
【図１２】
2020153214.tif 000014
【図１３】
2020153214.tif 000015
【手続補正書】
【提出日】令和3年7月16日(2021.7.16)
【手続補正１】
【補正対象書類名】明細書
【補正対象項目名】００５５
【補正方法】変更
【補正の内容】
【００５５】
（Ｂ２）隣接セルの周波数の優先度が現在のサービングセルの優先度と同じである：
ＵＥ１００は、現在のサービングセルのランクＲs及び隣接セルのランクＲnを算出する。ＵＥ１００は、所定期間（ＴｒｅｓｅｌｅｃｔｉｏｎＲＡＴ）に亘ってＲsよりも高いランクＲnを有するセルを選択する。
【手続補正２】
【補正対象書類名】明細書
【補正対象項目名】００６９
【補正方法】変更
【補正の内容】
【００６９】
具体的には、図６において、Ｓｒｘｌｅｖは、セルの所望波の受信電力を表している。Ｓｒｘｌｅｖは、Ｓｒｘｌｅｖ＝Ｑrxlevmeas−（Ｑrxlevmin＋Ｑrxlevminoffset）−Ｐcompensation−Ｑｏｆｆｓｅｔtempによって算出される。Ｑrxlevmeasは、セルの所望波の受信電力であって、ＵＥ１００が測定した値である。Ｑrxlevminは、最小要求受信電力である。Ｑrxlevminoffsetは、セルに定常的に適用される所定オフセットである。Ｐcompensationは、アップリンクの能力に関するパラメータである。Ｑｏｆｆｓｅｔtempは、セルに一時的に適用されるオフセットである。
【手続補正３】
【補正対象書類名】明細書
【補正対象項目名】００７０
【補正方法】変更
【補正の内容】
【００７０】
また、Ｓｑｕａｌは、セルの所望波の品質レベルを表している。Ｓｑｕａｌは、Ｓｑｕａｌ＝Ｑqualmeas−（Ｑqualmin＋Ｑqualminoffset）−Ｑｏｆｆｓｅｔtempによって算出される。Ｑqualmeasは、セルの所望波の品質レベルであって、ＵＥ１００が測定した値である。所望波の品質レベルは、所望波対妨害波比（ＳＩＮＲ：Ｓｉｇｎａｌ ｔｏ Ｉｎｔｅｒｆｅｒｅｎｃｅ  ｐｌｕｓ  Ｎｏｉｓｅ  ｐｏｗｅｒ  Ｒａｔｉｏ）であってもよい。Ｑqualminは、最小要求品質レベルである。Ｑqualminoffsetは、セルに定常的に適用される所定オフセットである。Ｑｏｆｆｓｅｔtempは、セルに一時的に適用されるオフセットである。
【手続補正４】
【補正対象書類名】明細書
【補正対象項目名】００７６
【補正方法】変更
【補正の内容】
【００７６】
図７に示すように、現在のサービングセルのランク付け基準であるＲsは、Ｒs＝Ｑmeas,s＋Ｑhyst−Ｑｏｆｆｓｅｔtemp−Ｑｍｅａｓ，ｃｏｎｇｅｓｔｉｏｎによって算出される。Ｑmeas,sは、現在のサービングセルの所望波の受信電力であって、ＵＥ１００が測定した値である。Ｑhyst及びＱｏｆｆｓｅｔtempは、現在のサービングセルに適用される所定オフセットである。Ｑｍｅａｓ，ｃｏｎｇｅｓｔｉｏｎは、現在のサービングセルのチャネル占有率（混雑度）に応じたオフセット値であって、ＵＥ１００が測定した値である。Ｑｍｅａｓ，ｃｏｎｇｅｓｔｉｏｎは、ｇＮＢ２００からブロードキャストされる情報（ＳＩＢ）に含まれてもよい。ＵＥ１００が測定した混雑度とＱｍｅａｓ，ｃｏｎｇｅｓｔｉｏｎとのマッピングテーブルがＳＩＢに含まれてもよい。
【手続補正５】
【補正対象書類名】明細書
【補正対象項目名】００７７
【補正方法】変更
【補正の内容】
【００７７】
よって、現在のサービングセルの混雑度が高いほど、現在のサービングセルのランクＲsが低なるように調整される。
【手続補正６】
【補正対象書類名】明細書
【補正対象項目名】００７８
【補正方法】変更
【補正の内容】
【００７８】
また、隣接セルのランク付け基準であるＲnは、Ｒn＝Ｑmeas,n＋Ｑｏｆｆｓｅｔ−Ｑｏｆｆｓｅｔtemp−Ｑｍｅａｓ，ｃｏｎｇｅｓｔｉｏｎによって算出される。Ｑmeas,nは、隣接セルの所望波の受信電力であって、ＵＥ１００が測定した値である。Ｑｏｆｆｓｅｔ及びＱｏｆｆｓｅｔtempは、隣接セルに適用される所定オフセットである。Ｑｍｅａｓ，ｃｏｎｇｅｓｔｉｏｎは、隣接セルのチャネル占有率（混雑度）に応じたオフセット値であって、ＵＥ１００が測定した値である。Ｑｍｅａｓ，ｃｏｎｇｅｓｔｉｏｎは、ｇＮＢ２００からブロードキャストされる情報（ＳＩＢ）に含まれてもよい。ＵＥ１００が測定した混雑度とＱｍｅａｓ，ｃｏｎｇｅｓｔｉｏｎとのマッピングテーブルがＳＩＢに含まれてもよい。
【手続補正７】
【補正対象書類名】明細書
【補正対象項目名】００７９
【補正方法】変更
【補正の内容】
【００７９】
よって、隣接セルの混雑度が高いほど、隣接セルのランクＲnが低くなるように調整される。
【手続補正８】
【補正対象書類名】明細書
【補正対象項目名】００８９
【補正方法】変更
【補正の内容】
【００８９】
例えば、図６に示すセルの選択基準（Ｓ−ｃｒｉｔｅｒｉｏｎ）において、所望波の受信電力に応じた値であるＳｒｘｌｅｖの計算式に含まれるオフセット値（Ｑrxlevmin、Ｑrxlevminoffset、Ｐcompensation、Ｑｏｆｆｓｅｔtemp）のいずれかを、対応するセルの混雑度に応じて調整（スケーリング）してもよい。所望波の受信品質に応じた値であるＳｑｕａｌの計算式に含まれるオフセット値（Ｑqualmin、Ｑqualminoffset、Ｑｏｆｆｓｅｔtemp）のいずれかを、対応するセルの混雑度に応じて調整（スケーリング）してもよい。
【手続補正９】
【補正対象書類名】明細書
【補正対象項目名】００９０
【補正方法】変更
【補正の内容】
【００９０】
また、図７に示すランク付け基準（Ｒ−ｃｒｉｔｅｒｉｏｎ）において、現在のサービングセルのランク付け基準Ｒsの計算式に含まれるオフセット値（Ｑhyst、Ｑｏｆｆｓｅｔtemp）のいずれかを、現在のサービングセルの混雑度に応じて調整（スケーリング）してもよい。隣接セルのランク付け基準Ｒnの計算式に含まれるオフセット値（Ｑｏｆｆｓｅｔ、Ｑｏｆｆｓｅｔtemp）のいずれかを、隣接セルの混雑度に応じて調整（スケーリング）してもよい。
【手続補正１０】
【補正対象書類名】明細書
【補正対象項目名】００９３
【補正方法】変更
【補正の内容】
【００９３】
そして、分類された混雑度状態に応じて、上述したようにオフセット値を調整（スケーリング）する。例えば、現在のサービングセルのランク付け基準Ｒsの計算式に含まれるＱhystを調整する場合、Ｑhyst＝Ｑhyst×ｓｃａｌｉｎｇ  ｆａｃｔｏｒ（Ｈｉｇｈ  ｃｏｎｇｅｓｔｉｏｎ）というように調整（スケーリング）する。なお、ＵＥ１００は、混雑度低（Ｎｏｒｍａｌ）の場合、スケーリングを行わなくてもよい。また、スケーリングファクターは、ｇＮＢ２００からブロードキャストされる情報に含まれてもよい。
【手続補正１１】
【補正対象書類名】明細書
【補正対象項目名】０１２５
【補正方法】変更
【補正の内容】
【０１２５】
図１１は、第１及び第２実施形態の変更例１を示す図である。ここでは、ＵＥ１００の動作を例に挙げて説明するが、図１１の動作をｇＮＢ２００が行ってもよい。なお、ＵＥ１００はアンライセンスバンドで運用されるセルにおいてＲＲＣアイドル状態又はＲＲＣインアクティブ状態にあると仮定しているが、ＵＥ１００がＲＲＣコネクティッド状態であってもよい。
【手続補正１２】
【補正対象書類名】明細書
【補正対象項目名】０１４２
【補正方法】変更
【補正の内容】
【０１４２】
高優先度周波数が混雑していると判定した場合（ステップＳ４０２：ＹＥＳ）、ステップＳ４０３において、ＵＥ１００は、タイマをスタートするとともに、高優先度周波数に対する測定をスキップする。ＵＥ１００は、タイマが動作している間は、高優先度周波数に対する測定スキップを継続する。
【手続補正１３】
【補正対象書類名】明細書
【補正対象項目名】０１４４
【補正方法】変更
【補正の内容】
【０１４４】
サービング周波数が混雑していると判定した場合（ステップＳ４０５：ＹＥＳ）、ステップＳ４０６において、ＵＥ１００は、タイマを停止し、ステップＳ４０１に処理を戻す。
【手続補正１４】
【補正対象書類名】明細書
【補正対象項目名】０１４５
【補正方法】変更
【補正の内容】
【０１４５】
一方、サービング周波数が混雑していないと判定した場合（ステップＳ４０５：ＮＯ）、ステップＳ４０７において、ＵＥ１００は、タイマが満了したか否かを確認する。タイマが満了した場合（ステップＳ４０７：ＹＥＳ）、ＵＥ１００は、ステップＳ４０１に処理を戻す。タイマが満了していない場合（ステップＳ４０７：ＮＯ）、ＵＥ１００は、ステップＳ４０４に処理を戻す。
【手続補正１５】
【補正対象書類名】明細書
【補正対象項目名】０１５１
【補正方法】変更
【補正の内容】
【０１５１】
ここで、混雑度判定は、基本的には現在のサービングセル（サービング周波数）の混雑度判定を想定しているが、隣接セル（隣接周波数）に対して適用されてもよい。例えば、ＵＥ１００は、現在のサービングセル（サービング周波数）が混雑していた場合に、隣接セル（隣接周波数）の混雑度判定を行ってもよい。ＵＥ１００は、現在のサービングセル（サービング周波数）に設定された優先度が最高優先度ではない又は最上ランク（すなわち、所望波の受信電力が最も高い）ではない場合に、隣接セル（隣接周波数）の混雑度判定を行ってもよい。このような動作は、上述した各実施形態においても同様に適用してもよい。
【手続補正１６】
【補正対象書類名】特許請求の範囲
【補正対象項目名】全文
【補正方法】変更
【補正の内容】
【特許請求の範囲】
【請求項１】
アンライセンスバンドにおけるセル再選択処理を制御するためのセル再選択制御方法であって、
ＲＲＣ（Ｒａｄｉｏ  Ｒｅｓｏｕｒｃｅ  Ｃｏｎｔｒｏｌ）コネクティッド状態にあるユーザ装置が、前記セル再選択における優先度をキャリア周波数ごとに定める条件付き優先度を含むＲＲＣ解放メッセージを基地局から受信することと、
前記ＲＲＣ解放メッセージの受信に応じてＲＲＣアイドル状態又はＲＲＣインアクティブ状態に遷移した前記ユーザ装置が、前記条件付き優先度を直ちに適用することに代えて、現在のサービングセルに関する所定の条件が満たされるまでは前記条件付き優先度の適用を保留することと、
前記ＲＲＣアイドル状態又は前記ＲＲＣインアクティブ状態にある前記ユーザ装置が、前記所定の条件が満たされた場合、前記条件付き優先度を適用することと、を含む
セル再選択制御方法。
【請求項２】
前記ＲＲＣ解放メッセージは、前記所定の条件を前記ユーザ装置に対して指定するための設定情報を含む
請求項１に記載のセル再選択制御方法。
【請求項３】
前記所定の条件は、前記現在のサービングセルの混雑度が上昇したという条件及び前記現在のサービングセルの所望波の受信状態が劣化したという条件のうち少なくとも一方を含む
請求項１又は２に記載のセル再選択制御方法。
【請求項４】
前記所定の条件は、前記ＲＲＣアイドル状態又は前記ＲＲＣインアクティブ状態からＲＲＣコネクティッド状態に遷移する必要が生じたという条件を含む
請求項１乃至３のいずれか１項に記載のセル再選択制御方法。
【請求項５】
前記ユーザ装置が、前記ＲＲＣアイドル状態又は前記ＲＲＣインアクティブ状態に遷移する際に、前記条件付き優先度の適用可能期間を定める第１のタイマを開始させることをさらに含む
請求項１乃至４のいずれか１項に記載のセル再選択制御方法。
【請求項６】
前記ユーザ装置が、前記条件付き優先度を適用する際に、前記条件付き優先度の適用を継続可能な期間を定める第２のタイマを開始させることをさらに含む
請求項１乃至５のいずれか１項に記載のセル再選択制御方法。
【請求項７】
前記ＲＲＣ解放メッセージは、前記条件付き優先度とは別に、前記セル再選択における優先度をキャリア周波数ごとに定める周波数優先度をさらに含み、
前記セル再選択制御方法は、
前記ユーザ装置が、前記ＲＲＣアイドル状態又は前記ＲＲＣインアクティブ状態に遷移する際に、前記周波数優先度を適用することと、
前記ユーザ装置が、前記所定の条件が満たされた場合、前記周波数優先度を前記条件付き優先度で上書きすることと、をさらに含む
請求項１乃至６のいずれか１項に記載のセル再選択制御方法。
【請求項８】
前記ユーザ装置が、前記所定の条件が満たされた場合、前記セル再選択における優先度として、前記現在のサービングセルの優先度又は前記現在のサービングセルが属するキャリア周波数の優先度を最低優先度に設定することをさらに含む
請求項１乃至７のいずれか１項に記載のセル再選択制御方法。
【請求項９】
アンライセンスバンドにおけるセル再選択処理を行うユーザ装置であって、
前記ユーザ装置がＲＲＣ（Ｒａｄｉｏ  Ｒｅｓｏｕｒｃｅ  Ｃｏｎｔｒｏｌ）コネクティッド状態にある場合、前記セル再選択における優先度をキャリア周波数ごとに定める条件付き優先度を含むＲＲＣ解放メッセージを基地局から受信する受信部と、
前記ＲＲＣ解放メッセージの受信に応じて前記ユーザ装置がＲＲＣアイドル状態又はＲＲＣインアクティブ状態に遷移した場合、前記条件付き優先度を直ちに適用することに代えて、現在のサービングセルに関する所定の条件が満たされるまでは前記条件付き優先度の適用を保留する制御部と、を備え、
前記制御部は、前記所定の条件が満たされた場合、前記条件付き優先度を適用する
ユーザ装置。
【請求項１０】
アンライセンスバンドにおけるセル再選択処理を行うユーザ装置を制御するプロセッサであって、
前記ユーザ装置がＲＲＣ（Ｒａｄｉｏ  Ｒｅｓｏｕｒｃｅ  Ｃｏｎｔｒｏｌ）コネクティッド状態にある場合、前記セル再選択における優先度をキャリア周波数ごとに定める条件付き優先度を含むＲＲＣ解放メッセージを基地局から受信する処理と、
前記ＲＲＣ解放メッセージの受信に応じて前記ユーザ装置がＲＲＣアイドル状態又はＲＲＣインアクティブ状態に遷移した場合、前記条件付き優先度を直ちに適用することに代えて、現在のサービングセルに関する所定の条件が満たされるまでは前記条件付き優先度の適用を保留する処理と、
前記所定の条件が満たされた場合、前記条件付き優先度を適用する処理と、を実行する
プロセッサ。
【請求項１１】
ＲＲＣ（Ｒａｄｉｏ  Ｒｅｓｏｕｒｃｅ  Ｃｏｎｔｒｏｌ）アイドル状態又はＲＲＣインアクティブ状態にあるユーザ装置がアンライセンスバンドにおいて行うセル再選択制御方法であって、
前記アンライセンスバンドに属する複数のキャリア周波数又は複数のセルである複数の候補のそれぞれについて混雑度を判定することと、
前記複数の候補の中から、前記ユーザ装置のサービングセルとして用いるために必要とされる選択基準を満たす候補を抽出することと、
前記抽出した候補の中から、前記サービングセルとして用いるセルを選択することと、を含み、
前記候補の抽出及び前記セルの選択のうち少なくとも一方は、前記判定された前記混雑度に基づく
セル再選択制御方法。
【請求項１２】
前記抽出することは、前記混雑度に応じた値が第１閾値を満たす候補を前記複数の候補の中から抽出することを含む
請求項１１に記載のセル再選択制御方法。
【請求項１３】
前記複数の候補のそれぞれについて、所望波の受信電力を測定することをさらに含み、
前記抽出することは、前記混雑度に応じた値が前記第１閾値を満たし、且つ、前記受信電力に応じた値が第２閾値を満たす候補を前記複数の候補の中から抽出することを含む
請求項１２に記載のセル再選択制御方法。
【請求項１４】
前記選択することは、
前記混雑度に基づいて前記複数の候補をランク付けすることと、
前記ランク付けにより最上位にランク付けされた候補を選択することと、を含む
請求項１１乃至１３のいずれか１項に記載のセル再選択制御方法。
【請求項１５】
前記複数の候補のそれぞれについて、所望波の受信電力を測定することをさらに含み、
前記ランク付けすることは、前記混雑度と前記受信電力とに基づいて前記複数の候補をランク付けすることを含む
請求項１４に記載のセル再選択制御方法。
【請求項１６】
前記複数の候補のそれぞれについて、所望波の受信電力を測定することをさらに含み、
前記抽出することは、前記混雑度に応じたオフセットを前記受信電力に付与して得られた値が閾値以上である候補を、前記複数の候補の中から抽出することを含む
請求項１１に記載のセル再選択制御方法。
【請求項１７】
前記複数の候補のそれぞれについて、所望波の受信電力を測定することをさらに含み、
前記選択することは、
前記混雑度に応じたオフセットを前記受信電力に付与して得られた値に基づいて、前記複数の候補をランク付けすることと、
前記ランク付けにより最上位にランク付けされた候補を選択することと、を含む
請求項１１に記載のセル再選択制御方法。
【請求項１８】
アンライセンスバンドにおいてセル再選択を行うユーザ装置であって、
前記ユーザ装置がＲＲＣ（Ｒａｄｉｏ  Ｒｅｓｏｕｒｃｅ  Ｃｏｎｔｒｏｌ）アイドル状態又はＲＲＣインアクティブ状態にある場合、前記アンライセンスバンドに属する複数のキャリア周波数又は複数のセルである複数の候補のそれぞれについて混雑度を判定する制御部を備え、
前記制御部は、
前記複数の候補の中から、前記ユーザ装置のサービングセルとして用いるために必要とされる選択基準を満たす候補を抽出し、
前記抽出した候補の中から、前記サービングセルとして用いるセルを選択し、
前記候補の抽出及び前記セルの選択のうち少なくとも一方は、前記判定された前記混雑度に基づく
ユーザ装置。
【請求項１９】
アンライセンスバンドにおいてセル再選択を行うユーザ装置を制御するプロセッサであって、
前記ユーザ装置がＲＲＣ（Ｒａｄｉｏ  Ｒｅｓｏｕｒｃｅ  Ｃｏｎｔｒｏｌ）アイドル状態又はＲＲＣインアクティブ状態にある場合、前記アンライセンスバンドに属する複数のキャリア周波数又は複数のセルである複数の候補のそれぞれについて混雑度を判定する処理と、
前記複数の候補の中から、前記ユーザ装置のサービングセルとして用いるために必要とされる選択基準を満たす候補を抽出する処理と、
前記抽出した候補の中から、前記サービングセルとして用いるセルを選択する処理と、を実行し、
前記候補の抽出及び前記セルの選択のうち少なくとも一方は、前記判定された前記混雑度に基づく
プロセッサ。
【国際調査報告】
2020153214.tif 000016
2020153214.tif 000017
2020153214.tif 000018
2020153214.tif 000019